(57)【要約】【課題】パターヘッドのリーディングエッジが正確に目標のラインと直角に設定されていても、パッティングのスタイル、使用者の目の状態そして左右の目からボールまでの距離の違い等により目の錯覚がおきて、リーディングエッジが目標方向と直角に見えないために目標方向に正確にボールを打つ事ができない。【解決手段】パターヘッド上部の上縁に、両端が前後に、別々に移動できる調整リーディングエッジを有する。使用者自信が調整リーディングエッジのネジを緩めて、打ったボールが進む方向に直角に見えるように調整リーディングエッジを設定する。この調整リーディングエッジの目標方向に対する角度は目の錯覚による角度であるから、パターヘッドのリーディングエッジの角度とは微妙に異なる。【選択図】図１
2006075576.tif 000002
【特許請求の範囲】
【請求項１】
パターヘッドの打面の上縁に相当するリーディングエッジを上から見て覆う状態で、このリーディングエッジの上方の所定位置に、このリーディングエッジと平行に設けられた板状の調整リーディングエッジと、調整リーディングエッジをパターヘッドに固定し前記リーディングエッジと前期調整リーディングエッジの相対角度を調整できる固定手段と、を有することを特徴とするパターヘッド。
【請求項２】
裏面に細かな波状の刻みをつけた調整リーディングエッジと、パターヘッドの調整リーディングエッジと接する面に細かな波状の刻みと、を有することを特徴とする請求項１記載のパターヘッド。
【発明の詳細な説明】
【技術分野】
【０００１】  この発明は、ゴルフに用いるパターヘッドの形状に関する。
【背景技術】
【０００２】  従来のゴルフに用いるゴルフパター１３の形状は、図４に示すものである。３はパターヘッド、１はパターヘッド３の一方側から上方に取り付けられたシャフト、１２はシャフト３の上部端に設けられたグリップである。パターヘッドは所定大の硬質材からなり、打面４はゴルフボールを打つために平らに形成されている。５のリーディングエッジは打面の上部にあり目標方向に対して直角にあわせて、ボールを打つ方向舵の役割をする。
【発明の開示】
【発明が解決しようとする課題】
【０００３】しかしながら、図４のパターを用いて目標に向かってボールを打つために、目標方向に対してパターヘッドのリーディングエッジを直角にあわせボールを打つけれども、意図する方向にボールを打つことは難しかった。使用者のパッティングのスタイルのため、また使用者の左右の目から目標までの距離が違うため、そして多くの使用者は左右の視力が違うとか乱視などがあるために目の錯覚がおきて、打ったボールが進む方向は使用者の意図する方向とはならなかった。つまり使用者がリーディングエッジを目標方向と直角にあわせてボールを打つと、ボールは目標方向に進まない。そこで多くの使用者は目標とする方向に対してパターヘッドのリーディングエッジを直角ではなく微妙に角度を変えてあわせ、これが目標方向にボールが進むと信じてボールを打つが、正確に目標方向に打つ事は難しい。
そこで、この発明は、使用者が目標方向に対して直角にリーディングエッジをあわせれば、目標方向に正確にボールを打つ事ができること
を課題とする。
【課題を解決するための手段】
【０００４】  以上の課題を解決するために、第一発明は、パターヘッドの打面の上縁に相当するリーディングエッジを上から見て覆う状態で、このリーディングエッジの上方の所定位置に、このリーディングエッジと平行に設けられた板状の調整リーディングエッジと、調整リーディングエッジをパターヘッドに固定し前記リーディングエッジと前期調整リーディングエッジの相対角度を調整できる固定手段と、を有することを特徴とするパターヘッドである。【０００５】  また、第二発明は、裏面に細かな波状の刻みをつけた調整リーディングエッジと、パターヘッドの調整リーディングエッジと接する面に細かな波状の刻みと、を有することを特徴とするパターヘッドである。
【発明の効果】
【０００６】  第一発明よれば、調整リーディングエッジを前後に調整して目標方向に対して直角に調整リーディングエッジを設定できる。これによりたとえボールを打つ目標方向と違う方向にリーディングエッジが向いているように見えるパターヘッドであっても、そのパターヘッドのリーディングエッジを上から見て覆う状態で目標方向に対して目で見える直角に調整リーディングエッジを固定できるため、ボールを打つ目標方向とパターヘッドの向いている方向に違和感がなくなる。ボールを打つパターヘッドの打面は目標方向に対して正確に直角に向いているため、ボールを正確に目標方向に打つことが容易である。【０００７】  そして第二発明によればネジによって固定された調整リーディングエッジは日常的な衝撃を受けてもパターヘッドのリーディングエッジとの相対角度は変わらない。
【発明を実施するための最良の形態】
【０００８】  この発明の一実施形態を、図１に示す。
このパターヘッド３はステンレス等の硬質材製であり、このパターヘッド３の上部には板状の硬質材の調整リーディングエッジ２を装着する。調整リーディングエッジ２の両端にはパターヘッド３に装着する為に装着用のネジが通過する穴９があり、調整リーディングエッジ２がパターヘッド３のリーディングエッジ５を隠し、かつ調整リーディングエッジ２の両端が前後してリーディングエッジ５と角度を変えることができるように、このネジが通過する穴９は長方形の形状をしている。調整リーディングエッジ２の角度を調整してネジ７を絞めて調整リーディングエッジ２を固定する。【０００９】  「実施形態の効果」
この実施形態によれば、勘に頼ってパターヘッドを目標方向に設定することが無くなり、ボールを目標通り打つ確率が高くなる。方向が安定すれば、目標とするホール（カップ）までの距離感に重点を置く事ができて、距離感が良くなる。【００１０】  「他の実施形態」
図１の実施形態では、調整リーディングエッジ２は板状の形状で、パターヘッド３の上部にネジ７によって固定されているが、図５に示す他の実施形態ではパターヘッド３の上部を覆うような調整リーディングエッジ１４の形状で、ネジ７を差し込むネジ穴１１をパターヘッド３の後部に設けて、調整リーディングエッジ１４とパターヘッド３との間にスプリングコイル１５を挟み、ネジ７の締め具合で調整リーディングエッジ１４とパターヘッド３のリーディングエッジ５との相対角度を調整する固定手段でも良い。図１及び図５の調整リーディングエッジの裏面及びパターヘッドの調整リーディングエッジと接する面は刻みをつけず、硬質材の素地のままでも良い。また調整リーディングエッジの色は素地のままでなく、白や他の色をつけたものでも良い。
【図面の簡単な説明】
【００１１】
【図１】この発明の斜視図である。
【図２】この発明の斜視図で、調整リーディングエッジを取外した図である。
【図３】この発明の平面図である。
【図４】従来より使用されているパター１３の概略図である。
【図５】他の実施形態の背面図である。
【符号の説明】
【００１２】  １  シャフト
２  調整リーディングエッジ
３  パターヘッド
４  パターヘッドの打面
５  パターヘッドのリーディングエッジ
６  目標方向を示すライン
７  調整リーディングエッジを装着するネジ
８  調整リーディングエッジ裏面の刻み
９  調整リーディングエッジを装着するネジが通過する穴
１０  調整リーディングエッジと接する面の刻み
１１  調整リーディングエッジを装着するネジ穴
１２  グリップ
１３  パター
１４  他の実施形態の調整リーディングエッジ
１５  スプリングコイル
【図１】
2006075576.tif 000003
【図２】
2006075576.tif 000004
【図３】
2006075576.tif 000005
【図４】
2006075576.tif 000006
【図５】
2006075576.tif 000007